(57)【要約】【課題】被照明部に影ができることを効果的に抑制しつつ、柔らかい光の空間を演出して照明する効果を向上できる照明器具を提供する。【解決手段】器具本体２と、蛍光ランプ１１と、本体カバー２１とを具備する。器具本体２は、前方に開放する環形の周壁４を有し、この周壁４に投光部５を設けている。蛍光ランプ１１を器具本体２内に配置する。本体カバー２１を器具本体２の前面に開閉可能に取付ける。この本体カバー２１が、閉じ状態で蛍光ランプ１１に対向する環状の光透過部２４ａ、及びこの光透過部２４ａで囲まれたミラー部２４ｂを有していることを特徴としている。【選択図】      図５
2007134136.tif 000002
【特許請求の範囲】
【請求項１】
前方に開放する環形の周壁を有し、この周壁に投光部が設けられた器具本体と；
この器具本体内に配置された光源と；
前記器具本体の前面に開閉可能に取付けられ、閉じ状態で前記光源からの光が射し込む環状の光透過部及びこの光透過部で囲まれたミラー部を有した本体カバーと；
を具備することを特徴とする照明器具。
【請求項２】
請求項１記載の照明器具が立てて設置されるものであるとともに、その光源が、単一の環形の蛍光ランプで、かつ、このランプが有したバルブの一端部に設けた第１の電極のマウント高さよりも前記バルブの他端部に設けた第２の電極のマウント高さを大きくして、この第２の電極のマウント高さに相当するバルブの他端部で、管壁温度が最も低くなる最冷部を形成したものであって、前記最冷部を前記器具本体の下部に配置したことを特徴とする照明器具。
【発明の詳細な説明】
【技術分野】
【０００１】
本発明は、ミラー部を有して例えば化粧室や玄関等に設置して使用される照明器具に関する。
【背景技術】
【０００２】
従来、洗面台用の照明器具として、化粧鏡の両側部に上下方向に延びる直管型蛍光ランプを配設し、化粧鏡の上部コーナー部に白熱灯、及びこの白熱灯からの上向きの照射光を下方側への間接照明光として反射させる反射板を夫々設けるとともに、各白熱灯の照射方向を調節自在とした照明器具が知られている（例えば、特許文献１参照。）。
【０００３】
この照明器具の点灯下で使用者が化粧等をする場合には、両側の蛍光ランプからの直接光に、白熱灯の照射方向の調節による直接光を加味して、使用者の顔の細かい部分の化粧に適するように照明できる他、白熱灯の照射方向を上向きに調節することで、反射板で反射される間接光を加味して、化粧鏡の周囲を柔らかい光の空間に演出して照明することができる。
【特許文献１】特開平８−１８５７０９号公報（段落0005−0011、図１−図４）
【発明の開示】
【発明が解決しようとする課題】
【０００４】
従来の照明器具では、左右の側枠及びこれらの上端にわたる上枠で囲まれて化粧鏡が設けられ、側枠から化粧鏡に向かって傾斜状に取付けられた透光板の内側に蛍光ランプが配置されている。このため、化粧鏡の左右両側方には側枠が邪魔となって蛍光ランプからの光は照射されない。しかも、これら蛍光ランプの光はその上下方向には照射されない。更に、白熱灯からの光は、反射板に遮られて上方向にも照射されない。したがって、白熱灯を上向きにした状態の場合にだけ、下向きの間接光が得られるに過ぎないので、化粧鏡の周囲を柔らかい光の空間に演出して照明する効果が乏しい。
【０００５】
更に、従来の照明器具では白熱灯が蛍光ランプの上側に連続するように配置されているので、化粧鏡の左右両側からの直接光が得られるに過ぎず、化粧鏡の上下からは直接照明光を得ることができない。このため、場所ごとに光の強さ等がばらついて照明される使用者の顔に影ができ易い。
【０００６】
しかも、従来の照明器具は、多数の光源を必要としているので、ランプ交換の機会が増える。それだけではなく、異種光源ごとの光量や光色の差に加えて、光源ごとの発光効率の低下のばらつきにより、光源ごとの光の差が大きくなりやすいので、こうしたばらつきに基づいて、照明される使用者の顔に影ができ易い。
【０００７】
本発明の目的は、被照明部に影ができることを効果的に抑制しつつ、柔らかい光の空間を演出して照明する効果を向上できる照明器具を提供することにある。
【課題を解決するための手段】
【０００８】
請求項１の発明は、前方に開放する環形の周壁を有し、この周壁に投光部が設けられた器具本体と；この器具本体内に配置された光源と；前記器具本体の前面に開閉可能に取付けられ、閉じ状態で前記光源に対向する環状の光透過部及びこの光透過部で囲まれたミラー部を有した本体カバーと；を具備することを特徴としている。
【０００９】
本発明で、周壁が環形である例として、四角形に代表される多角形、丸形、楕円形などを挙げることができる。本発明で、周壁の投光部は、この周壁に開けた多数の小孔で形成ができる他、周壁を透光性材料例えば乳白色のアクリル樹脂製として形成することができ、この場合には周壁自体が投光部を兼ねる構成とできる。又、本発明では、周壁の投光部を全周に渡り設けることが好ましいが、器具本体の周囲への投光の目的が損なわれない範囲であれば、必ずしも周壁の全周に投光部を設けなくてもよい。
【００１０】
本発明で、光源にはＬＥＤや蛍光ランプ等を用いることができる。光源が蛍光ランプである場合、この蛍光ランプは、複数用いることもできるが、部品点数を削減でき、かつ、発光効率が低下しても各部での明るさのばらつきを生じない点で、単一の環形蛍光ランプとすることが好ましい。単一の環形蛍光ランプを使用する場合、このランプは器具本体の周壁と同様形状で、それにより、周壁に沿うように配設されるものが好ましい。しかし、周壁の環形形状とは異なる形状、例えば、周壁が四角形である場合に丸形の蛍光ランプを用いることも可能である。
【００１１】
本発明で、本体カバーが器具本体に開閉可能に取付けられるとは、本体カバーが着脱されるものであってもよく、或いは、ヒンジを介して器具本体に回動可能に連結されて、その回動により器具本体を開閉するものであってもよい。本発明で、本体カバーのミラー部を囲む光透過部は、例えば乳白色を呈して光を拡散するものを好適に使用できるが、これには制約されないとともに、この光透過部は環形に連続して形成されていても、或いは光を通さない光不透過部位を局部的に含んでいても差し支えない。
【００１２】
請求項１の発明の照明器具の光源が点灯されると、この光源から前方に向かった光は、本体カバーの光透過部を透過し、直接光として照明器具と向き合った使用者などに届く。この場合、光透過部が環状であるので、ミラー部に正対している使用者の顔等の被照明部を、影ができないように上下左右方向から照明できる。同時に、光源からその周囲に向かった光は、器具本体の周壁の投光部を通って、器具本体の周囲に投射される。この光は、照明器具が取付けられている器具設置面を照明するので、その反射光を使用者は間接光として視認することになる。このように照明器具の周囲に出る間接光を得られるので、照明器具の周囲を柔らかい光の空間に演出して照明する効果を高めることができる。
【００１３】
更に、本発明で使用する蛍光ランプが単一である場合には、その発光効率が低下しても、各部において均一な強さの光が放射される。このため、既述の直接光の強度が場所によってばらつくことがなく、柔らかい光の空間を演出する既述の間接光の強度が場所によってばらつくことがないので、これらのばらつきを原因として使用者の顔等の被照明部に影ができることを抑制できる。しかも、使用する蛍光ランプが環形で単一である場合には、ランプの使用数が最小となり、それに伴いランプ交換の機会も減らすことができる。
【００１４】
請求項２の発明は、照明器具が立てて設置されるものであるとともに、その光源が、単一の環形の蛍光ランプで、かつ、このランプが有したバルブの一端部に設けた第１の電極のマウント高さよりも前記バルブの他端部に設けた第２の電極のマウント高さを大きくして、この第２の電極のマウント高さに相当するバルブの他端部で、管壁温度が最も低くなる最冷部を形成したものであって、前記最冷部を前記器具本体の下部に配置したことを特徴としている。
【００１５】
立てて設置された照明器具内の温度は上部より下部の方が低い。このため、温度が低い照明器具の下部に蛍光ランプの最冷部を配置した請求項２の発明では、最冷部の温度を低く維持し易い。これにより、蛍光ランプのバルブ内の水銀蒸気圧をバルブの最冷部の温度によって略最適値に規制して、高い発光効率を得る最冷部制御を行う上で好ましい。
【発明の効果】
【００１６】
請求項１の発明によれば、被照明部に影ができることを効果的に抑制しつつ、柔らかい光の空間を演出して照明する効果を向上できる照明器具を提供できる。
【００１７】
請求項２の発明によれば、環形蛍光ランプのバルブ内の水銀蒸気圧をバルブの最冷部の温度によって略最適値に規制して、高い発光効率を得る最冷部制御を行う上で好ましい照明器具を提供できる。
【発明を実施するための最良の形態】
【００１８】
図１〜図７を参照して本発明の一実施形態に係る化粧台用照明器具について説明する。
【００１９】
図中符号１は照明器具を示す。この照明器具１は、図示しない化粧台にこの台を使用する使用者の正面に対向する正対位置に垂直状態に立てて設置される。照明器具１は、化粧台に一体に組み込まれていても、或いは化粧台とは分離したもので垂直状態の室内壁面（器具設置面Ｓ）に設置されていてもよい。
【００２０】
照明器具１は、器具本体２と、光源例えば単一の蛍光ランプ１１と、本体カバー２１とを備えている。
【００２１】
器具本体２は、板金製であり、図４〜図７に示すように四角形をなすベース板３の上下左右の縁から側板４ａ〜４ｄを前方に向けて折れ曲げて形成されている。側板４ａ〜４ｄは互いに連続して四角環形の周壁４を形成している。この周壁４は前方に開放している。周壁４にはその全周に投光部５が設けられている。
【００２２】
図２及び図３で代表して示すように投光部５は例えば側板４ａ〜４ｄの夫々に設けた多数の小孔で形成されている。このように投光部５をなした多数の小孔は、器具本体２内に下方から上方に向けて外部の空気が流通することを許す換気孔としても機能するものである。上下方向に延びた互いに平行な側板４ｃ、４ｄの内の一方、例えば側板４ｄの上下方向の中央部には、保持部例えばマグネット６（図５参照）が取付けられている。
【００２３】
器具本体２内にはベース板３の内面に固定された反射板７が設けられている。反射板７は、周壁４の形状に対応した形状、例えば四角環形をなし、外周枠部７ａと内周枠部７ｂとを有している。
【００２４】
外周枠部７ａは、斜めに折れ曲がっていて、その先端側ほど周壁４の内面に近づいている。図６及び図７に示すように外周枠部７ａの前方への突出高さは、周壁４の前方への突出高さより低く、外周枠部７ａの先端と周壁４との間には四角形の環状間隙ｇが設けられている。内周枠部７ｂは、ベース板３に対して略直角となるように折れ曲がっていて、その前方への突出高さは、周壁４の前方への突出高さより高い。
【００２５】
器具本体２には光源の点灯を担う点灯装置、例えばインバータ式の電子安定器８が内蔵されている。この電子安定器８は、反射板７で囲まれた領域内に位置して器具本体２に固定され、好ましくは下側の側板４ｂの投光部５から上向きに流入する外気に晒され易く、それにより放熱が促進され易いように器具本体２の下部内面に固定されている。
【００２６】
蛍光ランプ１１は器具本体２の外形形状に対応した環形をなしている。図４及び図５に示すように蛍光ランプ１１は、例えば四角環状に曲げられたバルブ１２の互いに接近した両端部にわたって合成樹脂製の口金１３を装着してなる。
【００２７】
この蛍光ランプ１１においては、バルブ１２の一端部１２ａに設けた第１の電極のマウント高さＸ（図４参照）よりもバルブ１２の他端部１２ｂに設けた第２の電極のマウント高さＹ（図４参照）が大きい。これにより、第２の電極のマウント高さに相当するバルブ１２の他端部１２ｂで、管壁温度が最も低くなる最冷部が形成されている。蛍光ランプ１１は、その最冷部での温度によってバルブ１２内の水銀蒸気圧を略最適値に規制して、高い発光効率を得るように構成されている。
【００２８】
蛍光ランプ１１は、その口金１３及び前記最冷部を器具本体１２の下部に配置して反射板７の外周枠部７ａと内周枠部７ｂとの間に取付けられている。蛍光ランプ１１の口金１３及び前記最冷部は、電子安定器８と器具本体２の下側の側板４ｂとの間に位置されている。なお、図４において器具本体２の下部の二つの角部の内のいずれかの角部及びその付近に口金１３及び前記最冷部を配置する形態も、器具本体２の下部に口金１３及び前記最冷部を配置する概念に包含される。
【００２９】
図１〜図３等に示すように本体カバー２１は、カバー枠２２と、ホルダ２３と、カバー部２４とを備えている。
【００３０】
カバー枠２２は、器具本体２の形状に対応し、例えば四角環状をなしている。このカバー枠２２は器具本体２より大きい。カバー枠２２は、合成樹脂、金属、木材、又は木質系の材料により作られる。
【００３１】
カバー枠２２の一側部は、ヒンジ２５（図３参照）を介して器具本体２の側板４ｄと平行な側板４ｃに回転可能に取付けられている。それにより、本体カバー２１が器具本体２の前面に開閉可能に取付けられている。カバー枠２２の前記一側部と平行な他側部の裏面には、被保持部例えば鉄板２６（図５参照）が取付けられている。
【００３２】
本体カバー２１が器具本体２を閉じる位置に配置された時に、前記マグネット６が鉄板２６を吸付けて、本体カバー２１は閉じ状態に保持される。この時、カバー枠２２は周壁４の外側に張り出すようになり、その裏面が周壁４の前端に当たるように配置される（図３及び図４参照）。カバー枠２２の裏面は、器具設置面Ｓ側への反射面として機能するように形成されていることが好ましい。本実施形態では、本体カバー２１をアルミニウム合金製として、その金属地肌面を反射面として利用している。そして、前記吸付け力に勝る開き力を本体カバー２１に手で与えることにより、本体カバー２１を開くことができ、それによりランプ交換が可能となっている。
【００３３】
ホルダ２３はカバー枠２２の内周に沿って取付けられている。このホルダ２３はカバー枠２２から前方へ突出する部位を有している。ホルダ２３は透光部材、例えば過乳白色のアクリル板で形成されている。なお、これに代えて、前記突出部位に前記周壁と同じように多数の小孔を開けた投光部材を用いてホルダ２３を形成することもできる。
【００３４】
カバー部２４はその裏面をホルダ２３の前端部に取付けて設けられている。カバー部２４は、カバー枠２２より小さく、かつ、カバー枠２２と相似形をなしている。このカバー部２４は、光透過部２４ａと、ミラー部２４ｂと、外周ミラー部２４ｃとを有している。これら光透過部２４ａ、ミラー部２４ｂ、及び外周ミラー部２４ｃの前面は面一に連なっている。
【００３５】
光透過部２４ａは環状例えば四角環状に形成されている。この光透過部２４ａは、カバー部２４を閉じた際に蛍光ランプ１１及び反射板７からの光が射し込むように、好ましくはこれらに対向する位置に設けられている。光透過部２４ａは光を拡散して前方向に透過させるように形成されている。
【００３６】
ミラー部２４ｂは、光透過部２４ａで囲まれ例えば四角形状をなしていて、裏面に蒸着等により設けられた反射層２４ｂ１（図６及び図７参照）を有している。ミラー部２４ｂは、鏡として使用するのに必要十分な面積を占めており、その面積は光透過部２４ａの面積より大きい。
【００３７】
外周ミラー部２４ｃは光透過部２４ａを囲んで設けられ、カバー部２４の周縁部をなしていて、裏面に蒸着等により設けられた反射層２４ｃ１（図６及び図７参照）を有している。反射層２４ｂ１及び反射層２４ｃ１によってミラー部２４ｂが鏡として機能するようになっている。外周ミラー部２４ｃの裏面に光透過性のホルダ２３が接続されている。
【００３８】
照明器具１が点灯されると、この照明器具１の前方に位置した使用者を直接光と間接光を以下のように照射できる。なお、直接光と間接光とを用いて照明をするので、いずれか一方のみの照明に比較して効率がよい。
【００３９】
使用者から見ての直接光（図６及び図７中実線矢印で示す。）は、蛍光ランプ１１から直接前方に向かう光、及び反射板７で反射されて前方へ向かう光である。この直接光は、器具本体２を覆った本体カバー２１が有したカバー部２４の光透過部２４ａを通って使用者の顔などを照射する。この場合、環状の光透過部２４ａでの光拡散制御により、この光透過部２４ａ全体が明るく光って、使用者の顔などを上下左右から照明する。そのため、特定の方面からの照明光が欠如することがなく、使用者の顔等に影が形成されることを抑制できる。なお、以上の照明では、蛍光ランプ１１側からの光がミラー部２４ｂの裏面に射し込むことを反射板７の内周枠部７ｂによって抑制できる。
【００４０】
使用者から見ての間接光（図６及び図７中点線矢印で示す。）は、蛍光ランプ１１からその周囲に向けて投射された光の内で、前記環状間隙ｇを通って反射板７の外周枠部７ａを迂回してから周壁４の投光部５を通り、器具本体２の周囲に照射される。この光は、器具設置面Ｓで反射されて、使用者にとって間接光として認識される。そして、この間接光は、既述のように外周枠部７ａを迂回するので、外周枠部７ａがない状態で投光部５から直接光が外部に投射される場合に比較して、光の強度が弱くなるように制御される。
【００４１】
こうした照明器具１の全周への間接光により、柔らかい光の空間を演出して照明器具１の周囲を照明できるので、照明効果を高めることができる。しかも、間接光により器具本体２の周囲の器具設置面Ｓが照明される分、光透過部２４ａに射し込む光量を減らして、この光透過部２４ａが明る過ぎて眩しさを感じることを抑制できる。これとともに、カバー部２４と器具設置面Ｓとの明るさのコントラストが抑制されるので、ミラー部２４ｂを視認し易くできる。又、本実施形態では、投光部５を通った光の一部をカバー枠２２の裏面で器具設置面Ｓに反射させるので、器具本体２周りをより効果的に間接照明できる。
【００４２】
更に、蛍光ランプ１１及び反射板７によって、これらの外側で斜め前方へ照射された光は、カバー部２４を透過して、カバー枠２２の前面を照射する。この光は、カバー枠２２の前面で反射されて、使用者にとって間接光として認識される。この間接光により、全周を照らされたカバー枠２２が視認され易くなり、カバー枠２２を有した照明器具１のインテリア性を向上させることができる。もちろん、この間接光も、カバー部２４と器具設置面Ｓとの明るさのコントラストを抑制するのに貢献している。
【００４３】
前記照明器具１は、光源として使用する蛍光ランプ１１が環形である。そのため、ランプの使用数が最小となり、それに伴いランプ交換の機会を減らすことができる。そして、光源を前記蛍光ランプ１１としたことにより、その発光効率が低下しても、各部において均一な強さの光が放射される。このため、前記直接光の強度が場所によってばらつくことがなく、柔らかい光の空間を演出する間接光の強度が場所によってばらつくことがない。したがって、ランプの発光効率の低下に伴い光の強さが各部でばらついて使用者の顔等に影ができるという自体も招き難い点で好ましい。
【００４４】
更に、照明器具１は器具設置面Ｓに沿って立てて設置されているので、この器具本体２の下部の方が上部より温度が低い。特に、本実施形態のように周壁４の換気孔として機能する小孔からなる投光部５を設けた照明器具１では、蛍光ランプ１１及び電子安定器８の発熱によって生起される気流により、冷たい外気が、主として下側の側板４ｂの投光部５から照明器具１内に流入して、上側の側板４ａの投光部５を通って流出する。これにより、前記のように器具本体２の下部の温度をより低くできる。
【００４５】
こうした条件下で、最冷部制御をする機能を持った蛍光ランプ１１の口金１３及び最冷部を器具本体２の下部に配置したので、最冷部をなすバルブ１２の他端部１２ｂを外部から流入する冷たい外気に晒して、最冷部の温度が上がることが抑制され、この最冷部の温度を低く維持し易い。これにより、蛍光ランプ１１のバルブ１２内の水銀蒸気圧をバルブ１２の最冷部の温度によって略最適値に規制する最冷部制御ができるので、高い発光効率を発揮させることができる。
【図面の簡単な説明】
【００４６】
【図１】本発明の一実施形態に係る化粧台用照明器具を示す正面図。
【図２】図１の照明器具を示す平面図。
【図３】図１の照明器具を示す側面図。
【図４】図１の照明器具をその本体カバーを外した状態で示す正面図。
【図５】図１の照明器具をその本体カバーを開いた状態で示す斜視図。
【図６】図１の照明器具を示す横断平面図。
【図７】図１の照明器具を示す縦断側面図。
【符号の説明】
【００４７】
１…照明器具、２…器具本体、４…周壁、５…投光部、１１…蛍光ランプ（光源）、１２…バルブ、１２ｂ…バルブの端部（最冷部）、１３…口金、２１…本体カバー、２２…カバー枠２２、２３…ホルダ、２４…カバー部、２４ａ…光透過部、２４ｂ…ミラー部、２５…ヒンジ、Ｓ…器具設置面、Ａ…バルブの一端側でのマウント高さ、Ｂ…バルブの他端側でのマウント高さ
【図１】
2007134136.tif 000003
【図２】
2007134136.tif 000004
【図３】
2007134136.tif 000005
【図４】
2007134136.tif 000006
【図５】
2007134136.tif 000007
【図６】
2007134136.tif 000008
【図７】
2007134136.tif 000009